【手続補正書】
【提出日】平成17年2月25日(2005.2.25)
【手続補正１】
【補正対象書類名】明細書
【補正対象項目名】特許請求の範囲
【補正方法】変更
【補正の内容】
【特許請求の範囲】
【請求項１】
被写体の像が投影されるスクリーン面と、前記スクリーン面上の像を正立化させるための複数の反射面と、前記像を観察するための正の屈折力の接眼レンズとを含む一眼レフカメラにおいて、
前記接眼レンズが、被写体側より順に、正の屈折力の第１レンズ成分と、正の屈折力の第２レンズ成分と、負の屈折力の第３レンズ成分とを備え、前記第１レンズ成分と前記第２レンズ成分との間隔および前記第２レンズ成分と前記第３レンズ成分との間隔を変化させることにより視度調整を行い、かつ、次の条件式を満足することを特徴とする接眼レンズを備えた一眼レフカメラ。
０．１５  ＜  ｔａｎ（Ｓ）  ＜  ０．３５
２．００  ＜  ｆｂ／Ｙ  ＜  ４．００
−０．８０  ＜  ｆ３／ｆ  ＜  −０．４０
ただし、Ｓは第３レンズ成分の射出面から光軸方向に２３ｍｍ離れた光軸上の点を通過する最軸外主光線と光軸との成す角度であり、視度０ｍ-1における角度、ｆｂはスクリーン面から第１レンズ成分の入射面までの空気換算長であり、視度０ｍ-1における空気換算長、Ｙはスクリーン面における画面対角長、ｆ３は第３レンズ成分の焦点距離、ｆはスクリーン面から接眼レンズ射出面までの全系の焦点距離であり、視度０ｍ-1における全系の焦点距離である。
【請求項２】
被写体の像が投影されるスクリーン面と、前記スクリーン面上の像を正立化させるための複数の反射面と、前記像を観察するための正の屈折力の接眼レンズとを含む一眼レフカメラにおいて、
前記接眼レンズが、被写体側より順に、正屈折力の第１レンズ成分と、正の屈折力の第２レンズ成分と、負の屈折力の第３レンズ成分とを備え、前記第１レンズ成分と前記第２レンズ成分との間隔および前記第２レンズ成分と前記第３レンズ成分との間隔を変化させることにより視度調整を行い、かつ、次の条件式を満足することを特徴とする接眼レンズを備えた一眼レフカメラ。
０．１５  ＜  ｔａｎ（Ｓ）  ＜  ０．３５
−０．６５  ＜  ｆ３／ｆ  ＜  −０．４５
ただし、Ｓは第３レンズ成分の射出面から光軸方向に２３ｍｍ離れた光軸上の点を通過する最軸外主光線と光軸との成す角度であり、視度０ｍ-1における角度、ｆ３は第３レンズ成分の焦点距離、ｆはスクリーン面から接眼レンズ射出面までの全系の焦点距離であり、視度０ｍ-1における全系の焦点距離である。
【請求項３】
被写体の像が投影されるスクリーン面と、前記スクリーン面上の像を正立化させるための複数の反射面と、前記像を観察するための正の屈折力の接眼レンズとを含む一眼レフカメラにおいて、
前記接眼レンズが、被写体側より順に、正の屈折力の第１レンズ成分、正の屈折力の第２レンズ成分、負の屈折力の第３レンズ成分を備え、前記第１レンズ成分と前記第２レンズ成分との間隔および前記第２レンズ成分と前記第３レンズ成分との間隔を変化させることにより視度調整を行い、かつ、次の条件式を満足することを特徴とする接眼レンズを備えた一眼レフカメラ。
０．１５  ＜  ｔａｎ（Ｓ）  ＜  ０．３５
１５ｍｍ  ＜  Ｙ  ＜  ３０ｍｍ
ただし、Ｓは第３レンズ成分の射出面から光軸方向に２３ｍｍ離れた光軸上の点を通過する最軸外主光線と光軸との成す角度であり、視度０ｍ-1における角度、Ｙはスクリーン面における画面対角長である。
【請求項４】
被写体の像が投影されるスクリーン面と、前記スクリーン面上の像を正立化させるための複数の反射面と、前記像を観察するための正の屈折力の接眼レンズとを含む一眼レフカメラにおいて、
前記接眼レンズが、被写体側より順に、正の屈折力の第１レンズ成分、正の屈折力の第２レンズ成分、負の屈折力の第３レンズ成分を備え、前記第１レンズ成分と前記第２レンズ成分との間隔および前記第２レンズ成分と前記第３レンズ成分との間隔を変化させることにより視度調整を行い、かつ、次の条件式を満足することを特徴とする接眼レンズを備えた一眼レフカメラ。
０．１５  ＜  ｔａｎ（Ｓ）  ＜  ０．３５
２．７０  ＜  ｆｂ／Ｙ  ＜  ３．２０
−０．８０  ＜  ｆ３／ｆ  ＜  −０．３０
ただし、Ｓは第３レンズ成分の射出面から光軸方向に２３ｍｍ離れた光軸上の点を通過する最軸外主光線と光軸との成す角度であり、視度０ｍ-1における角度、ｆｂはスクリーン面から第１レンズ成分の入射面までの空気換算長であり、視度０ｍ-1における空気換算長、Ｙはスクリーン面における画面対角長、ｆ３は第３レンズ成分の焦点距離、ｆはスクリーン面から接眼レンズ射出面までの全系の焦点距離であり、視度０ｍ-1における全系の焦点距離である。
【請求項５】
前記第１レンズ成分、第２レンズ成分、第３レンズ成分が、夫々１つの単レンズまたは１つの接合レンズからなることを特徴とする請求項１〜４のいずれかに記載の接眼レンズを備えた一眼レフカメラ。
【請求項６】
前記第２レンズ成分のみを移動させることにより視度調整を行うようにしたことを特徴とする請求項１〜５のいずれかに記載の接眼レンズを備えた一眼レフカメラ。
【請求項７】
次の条件式を満足することを特徴とする請求項１に記載の接眼レンズを備えた一眼レフカメラ。
１５ｍｍ＜  Ｙ  ＜  ３０ｍｍ
ただし、Ｙはスクリーン面における画面対角長である。
【請求項８】
次の条件式を満足することを特徴とする請求項１に記載の接眼レンズを備えた一眼レフカメラ。
２．７０＜  ｆｂ／Ｙ  ＜  ３．２０
【請求項９】
次の条件式を満足することを特徴とする請求項１に記載の接眼レンズを備えた一眼レフカメラ。
−０．６５＜  ｆ３／ｆ    ＜−０．４５
【請求項１０】
次の条件式を満足することを特徴とする請求項１に記載の接眼レンズを備えた一眼レフカメラ。
−０．６５＜  ｆ３／ｆ    ＜−０．５０
【請求項１１】
次の条件式を満足することを特徴とする請求項２に記載の接眼レンズを備えた一眼レフカメラ。
１５ｍｍ＜  Ｙ  ＜  ３０ｍｍ
ただし、Ｙはスクリーン面における画面対角長である。
【請求項１２】
次の条件式を満足することを特徴とする請求項３に記載の接眼レンズを備えた一眼レフカメラ。
２．００＜  ｆｂ／Ｙ  ＜  ４．００
ただし、ｆｂはスクリーン面から第１レンズ成分の入射面までの空気換算長であり、視度０ｍ-1における空気換算長である。
【請求項１３】
次の条件式を満足することを特徴とする請求項３に記載の接眼レンズを備えた一眼レフカメラ。
２．７０＜  ｆｂ／Ｙ  ＜  ３．２０
ただし、ｆｂはスクリーン面から第１レンズ成分の入射面までの空気換算長であり、視度０ｍ-1における空気換算長である。
【請求項１４】
次の条件式を満足することを特徴とする請求項４に記載の接眼レンズを備えた一眼レフカメラ。
１５ｍｍ＜  Ｙ  ＜３０ｍｍ
【請求項１５】
前記第１レンズ成分が両凸形状に形成され、前記第２レンズ成分が被写体側に凸面を向けたメニスカス形状または両凸形状に形成され、前記第３レンズ成分が被写体側面よりも瞳側面の方が曲率半径の絶対値が小さい形状に形成されていることを特徴とする請求項５に記載の接眼レンズを備えた一眼レフカメラ。
【請求項１６】
前記第１レンズ成分が両凸形状に形成され、前記第２レンズ成分が正レンズと負レンズとを接合した接合レンズであり且つ被写体側に凸面を向けた形状に形成され、前記第３レンズ成分が被写体側面よりも瞳側面の方が曲率半径の絶対値が小さい形状に形成されていることを特徴とする請求項５に記載の接眼レンズを備えた一眼レフカメラ。
【手続補正２】
【補正対象書類名】明細書
【補正対象項目名】０００９
【補正方法】変更
【補正の内容】
【０００９】
また、本第６の発明による接眼レンズを備えた一眼レフカメラは、本第１〜第５のいずれかの発明において、前記第２レンズ成分のみを移動させることにより視度調整を行うようにしたことを特徴とする。
また、本第７の発明による接眼レンズを備えた一眼レフカメラは、本第１の発明において、次の条件式を満足することを特徴とする。
１５ｍｍ＜  Ｙ  ＜  ３０ｍｍ
ただし、Ｙはスクリーン面における画面対角長である。
また、本第８の発明による接眼レンズを備えた一眼レフカメラは、本第１の発明において、次の条件式を満足することを特徴とする。
２．７０＜  ｆｂ／Ｙ  ＜  ３．２０
また、本第９の発明による接眼レンズを備えた一眼レフカメラは、本第１の発明において、次の条件式を満足することを特徴とする。
−０．６５＜  ｆ３／ｆ    ＜−０．４５
また、本第１０の発明による接眼レンズを備えた一眼レフカメラは、本第１の発明において、次の条件式を満足することを特徴とする。
−０．６５＜  ｆ３／ｆ    ＜−０．５０
また、本第１１の発明による接眼レンズを備えた一眼レフカメラは、本第２の発明において、次の条件式を満足することを特徴とする。
１５ｍｍ＜  Ｙ  ＜  ３０ｍｍ
ただし、Ｙはスクリーン面における画面対角長である。
また、本第１２の発明による接眼レンズを備えた一眼レフカメラは、本第３の発明において、次の条件式を満足することを特徴とする。
２．００＜  ｆｂ／Ｙ  ＜  ４．００
ただし、ｆｂはスクリーン面から第１レンズ成分の入射面までの空気換算長であり、視度０ｍ-1における空気換算長である。
また、本第１３の発明による接眼レンズを備えた一眼レフカメラは、本第３の発明において、次の条件式を満足することを特徴とする。
２．７０＜  ｆｂ／Ｙ  ＜  ３．２０
ただし、ｆｂはスクリーン面から第１レンズ成分の入射面までの空気換算長であり、視度０ｍ-1における空気換算長である。
また、本第１４の発明による接眼レンズを備えた一眼レフカメラは、本第４の発明において、次の条件式を満足することを特徴とする。
１５ｍｍ＜  Ｙ  ＜３０ｍｍ
また、本第１５の発明による接眼レンズを備えた一眼レフカメラは、本第５の発明において、前記第１レンズ成分が両凸形状に形成され、前記第２レンズ成分が被写体側に凸面を向けたメニスカス形状または両凸形状に形成され、前記第３レンズ成分が被写体側面よりも瞳側面の方が曲率半径の絶対値が小さい形状に形成されていることを特徴とする。
更に、本第１６の発明による接眼レンズを備えた一眼レフカメラは、本第５の発明において、前記第１レンズ成分が両凸形状に形成され、前記第２レンズ成分が正レンズと負レンズとを接合した接合レンズであり且つ被写体側に凸面を向けた形状に形成され、前記第３レンズ成分が被写体側面よりも瞳側面の方が曲率半径の絶対値が小さい形状に形成されていることを特徴とする。